(57)【要約】【課題】プリンタなどの出力装置で利用できないファイル形式の画像ファイルが入力された場合でも、確実にプリントなどの生産物を作成できるようにするファイル変換プログラム及び受付端末並びに注文処理方法の提供。【解決手段】受付端末２にファイル変換手段１６を設け、読み取った画像ファイルのヘッダ情報で特定されるファイル形式と拡張子で特定されるファイル形式とが一致しない場合や、画像ファイルの拡張子が出力装置で対応していない拡張子である場合には、ヘッダ情報に基づいて拡張子を変換したり、予め設けられた変換テーブルを参照して出力装置で対応可能な拡張子に変換するなどの処理を行う。これにより、出力装置で利用できないファイル形式の画像ファイルが入力された場合であっても、確実にプリントなどの生産物を作成することができるようにする。【選択図】図５
2006338442.tif 000002
【特許請求の範囲】
【請求項１】
コンピュータを、
読み取った画像ファイルのヘッダ情報で特定されるファイル形式と、前記画像ファイルの拡張子で特定されるファイル形式とが一致しない場合に、前記画像ファイルの拡張子を前記ヘッダ情報で特定されるファイル形式に対応する拡張子に変換する手段、として機能させることを特徴とするファイル変換プログラム。
【請求項２】
コンピュータを、
読み取った画像ファイルの拡張子が、出力装置で対応していない拡張子である場合に、予め記憶された変換テーブルを参照して、前記画像ファイルの拡張子を前記出力装置で対応可能な拡張子に変換する手段、として機能させることを特徴とするファイル変換プログラム。
【請求項３】
画像ファイルを読み取る手段と、該画像ファイルを出力装置に送信する手段とを少なくとも備える受付端末において、
前記画像ファイルが前記出力装置で利用できない形式のファイルである場合に、前記画像ファイルを前記出力装置で利用可能な形式のファイルに変換するファイル変換手段を備えることを特徴とする受付端末。
【請求項４】
前記出力装置で利用できない形式のファイルとは、前記画像ファイルのヘッダ情報で特定されるファイル形式と、前記画像ファイルの拡張子で特定されるファイル形式とが一致しないファイルであり、
前記ファイル変換手段では、前記画像ファイルの拡張子を前記ヘッダ情報で特定されるファイル形式に対応する拡張子に変換することを特徴とする請求項３記載の受付端末。
【請求項５】
前記出力装置で利用できない形式のファイルとは、前記出力装置で対応していない拡張子のファイルであり、
前記ファイル変換手段では、予め記憶された変換テーブルを参照して、前記画像ファイルの拡張子を前記出力装置で対応可能な拡張子に変換することを特徴とする請求項３記載の受付端末。
【請求項６】
ユーザから提供された画像ファイルを利用して出力装置で生産物を作成する注文処理方法において、
前記画像ファイルを読み取るステップと、
前記画像ファイルが前記出力装置で利用できない形式のファイルである場合に、前記画像ファイルを前記出力装置で利用可能な形式のファイルに変換するファイル変換ステップと、
前記画像ファイルを前記出力装置に送信するステップと、を少なくとも備えることを特徴とする注文処理方法。
【請求項７】
前記出力装置で利用できない形式のファイルとは、前記画像ファイルのヘッダ情報で特定されるファイル形式と、前記画像ファイルの拡張子で特定されるファイル形式とが一致しないファイルであり、
前記ファイル変換ステップでは、前記画像ファイルの拡張子を前記ヘッダ情報で特定されるファイル形式に対応する拡張子に変換することを特徴とする請求項６記載の注文処理方法。
【請求項８】
前記出力装置で利用できない形式のファイルとは、前記出力装置で対応していない拡張子のファイルであり、
前記ファイル変換ステップでは、予め記憶された変換テーブルを参照して、前記画像ファイルの拡張子を前記出力装置で対応可能な拡張子に変換することを特徴とする請求項６記載の注文処理方法。
【発明の詳細な説明】
【技術分野】
【０００１】
本発明は、画像ファイルを用いた注文処理で利用されるファイル変換プログラム及び受付端末並びに注文処理方法に関する。
【背景技術】
【０００２】
近年、写真に関連する様々なサービスが提供されるようになってきている。例えば、ユーザがデジタルカメラで写真を撮影し、画像ファイルが記録されたデジタルカメラやデジタルカメラ用メディア、画像ファイルをバックアップしたＣＤ−Ｒなどをミニラボ等の写真店に持ち込むと、写真店では受付端末を用いてデジタルカメラやメディア、ＣＤ−Ｒから画像ファイルを読み取り、読み取った画像ファイルを用いて高精細なプリントを作成したり、該画像ファイルを他のＣＤ−Ｒなどの記録媒体に記録するなどの処理を行う。（上記受付端末に関しては、例えば、下記特許文献１参照）。
【０００３】
【特許文献１】特開２００４−２０１１１３号公報（第１０−１９頁、第１図）
【発明の開示】
【発明が解決しようとする課題】
【０００４】
写真店には、デジタルカメラで撮影して得られたままの画像ファイルが持ち込まれる場合もあるが、ユーザが所定の処理を行った画像ファイルが持ち込まれる場合もあり、その際、間違って又は故意に拡張子を変更するなど、ユーザが不適切な処理を行う場合もある。そのような場合でも、従来の受付端末では、読み取った画像ファイルが正常であるか否かにかかわらず該画像ファイルをプリンタに送信していたため、正常でない画像ファイルが送信された場合にはプリントを作成することができないという問題があった。
【０００５】
また、画像ファイルには様々なファイル形式があり、画像ファイル自体は正常であっても、プリンタで対応していないファイル形式の画像ファイルが持ち込まれる場合もある。そのような場合でも、従来の受付端末では、読み取った画像ファイルのファイル形式にかかわらず該画像ファイルをプリンタに送信していたため、対応していないファイル形式の画像ファイルが送信された場合にはプリントを作成することができないという問題があった。
【０００６】
本発明は、上記問題点に鑑みてなされたものであって、その主たる目的は、プリンタなどの出力装置で利用できないファイル形式の画像ファイルが入力された場合でも、確実にプリントなどの生産物を作成できるようにするファイル変換プログラム及び受付端末並びに注文処理方法を提供することにある。
【課題を解決するための手段】
【０００７】
上記目的を達成するため、本発明のファイル変換プログラムは、コンピュータを、読み取った画像ファイルのヘッダ情報で特定されるファイル形式と、前記画像ファイルの拡張子で特定されるファイル形式とが一致しない場合に、前記画像ファイルの拡張子を前記ヘッダ情報で特定されるファイル形式に対応する拡張子に変換する手段、として機能させるものである。
【０００８】
また、本発明のファイル変換プログラムは、コンピュータを、読み取った画像ファイルの拡張子が、出力装置で対応していない拡張子である場合に、予め記憶された変換テーブルを参照して、前記画像ファイルの拡張子を前記出力装置で対応可能な拡張子に変換する手段、として機能させるものである。
【０００９】
また、本発明は、画像ファイルを読み取る手段と、該画像ファイルを出力装置に送信する手段とを少なくとも備える受付端末において、前記画像ファイルが前記出力装置で利用できない形式のファイルである場合に、前記画像ファイルを前記出力装置で利用可能な形式のファイルに変換するファイル変換手段を備えるものである。
【００１０】
本発明においては、前記出力装置で利用できない形式のファイルとは、前記画像ファイルのヘッダ情報で特定されるファイル形式と、前記画像ファイルの拡張子で特定されるファイル形式とが一致しないファイルであり、前記ファイル変換手段では、前記画像ファイルの拡張子を前記ヘッダ情報で特定されるファイル形式に対応する拡張子に変換する構成とすることができる。
【００１１】
また、本発明においては、前記出力装置で利用できない形式のファイルとは、前記出力装置で対応していない拡張子のファイルであり、前記ファイル変換手段では、予め記憶された変換テーブルを参照して、前記画像ファイルの拡張子を前記出力装置で対応可能な拡張子に変換する構成とすることもできる。
【００１２】
また、本発明は、ユーザから提供された画像ファイルを利用して出力装置で生産物を作成する注文処理方法において、前記画像ファイルを読み取るステップと、前記画像ファイルが前記出力装置で利用できない形式のファイルである場合に、前記画像ファイルを前記出力装置で利用可能な形式のファイルに変換するファイル変換ステップと、前記画像ファイルを前記出力装置に送信するステップと、を少なくとも備えるものである。
【００１３】
本発明においては、前記出力装置で利用できない形式のファイルとは、前記画像ファイルのヘッダ情報で特定されるファイル形式と、前記画像ファイルの拡張子で特定されるファイル形式とが一致しないファイルであり、前記ファイル変換ステップでは、前記画像ファイルの拡張子を前記ヘッダ情報で特定されるファイル形式に対応する拡張子に変換する構成とすることができる。
【００１４】
また、本発明においては、前記出力装置で利用できない形式のファイルとは、前記出力装置で対応していない拡張子のファイルであり、前記ファイル変換ステップでは、予め記憶された変換テーブルを参照して、前記画像ファイルの拡張子を前記出力装置で対応可能な拡張子に変換する構成とすることもできる。
【００１５】
このように、本発明の構成によれば、プリンタなどの出力装置で利用できないファイル形式の画像ファイルが入力された場合でも、受付端末では、該画像ファイルを出力装置で利用可能なファイル形式に変換して出力装置に送信するため、プリントなどの生産物を確実に作成できるようにすることができる。
【発明の効果】
【００１６】
本発明のファイル変換プログラム及び受付端末並びに注文処理方法によれば、入力された画像ファイルに対して確実にプリントなどの生産物を作成することができる。
【００１７】
その理由は、本発明の受付端末では、読み取った画像ファイルのヘッダ情報で特定されるファイル形式と拡張子で特定されるファイル形式とが一致しない場合や、画像ファイルの拡張子が出力装置で対応していない拡張子である場合には、ヘッダ情報に基づいて拡張子を変換したり、予め設けられた変換テーブルを参照して出力装置で対応可能な拡張子に変換するなどの処理を行うため、出力装置で利用できないファイル形式の画像ファイルが入力された場合であっても、プリントなどの生産物を確実に作成できるからである。
【発明を実施するための最良の形態】
【００１８】
従来技術で示したように、従来の受付端末では、プリンタなどの出力装置で利用できないファイル形式の画像ファイルが入力された場合でも、該画像ファイルを出力装置に送信していたため、プリントが作成できないなどの問題が生じていた。
【００１９】
そこで、本発明の受付端末では、読み取った画像ファイルが出力装置で利用できないファイル形式の場合に、ヘッダ情報に合わせて拡張子を変換したり、予め記憶された変換テーブルを参照して出力装置で対応可能な拡張子に変換するなどの処理を行った後、該画像ファイルを出力装置に送信するようにして上記問題を解決している。以下、図面を参照して説明する。
【実施例】
【００２０】
上記実施の形態について詳細に説明すべく、本発明の一実施例に係るファイル変換プログラム及び受付端末並びに注文処理方法について、図１乃至図８を参照して説明する。図１は、本実施例に係る受付端末と出力装置とを備える注文処理システムの構成を模式的に示す図であり、図２乃至図４は、受付端末のバリエーションを示す図、図５は、受付端末の機能を示すブロック図である。また、図６及び図７は、本実施例の受付端末を用いた注文処理の手順を示すフローチャート図であり、図８は、本実施例の受付端末で利用する変換テーブルの構成例を示す図である。
【００２１】
図１に示すように、本実施例の注文処理システム１は、ミニラボなどに写真店やコンビニエンスストアなどの注文店などに設置され、プリントや記録媒体の作成などの注文を受け付け、該注文の処理を行う受付端末２と、写真店や生産店などに設置されるプリンタ１１ａや記録媒体作成装置１１ｂなどの出力装置１０とで構成され、これらはＬＡＮやＷＡＮ、ＶＡＮなどの通信ネットワークを介して接続されている。
【００２２】
また、図４に示すように、本実施例の受付端末２は、スマートメディア、コンパクトフラッシュ（登録商標）、メモリースティック、ＳＤメモリーカード、マルチメディアカードなどのデジタルカメラ９用又はカメラ付き携帯電話機９ａ用の記録媒体（以下、メディア８と呼ぶ。）を装填するメディア装填部５や、デジタルカメラ９やカメラ付き携帯電話機９ａ等の撮影機器（以下、デジタルカメラ９として説明する。）を有線又は無線、赤外線等によって接続するための機器接続部６などを用いて画像ファイルを読み取るファイル読み取り手段１５と、読み取った画像ファイルが出力装置１０で利用できないファイル形式の場合に、該画像ファイルを出力装置１０で利用可能なファイル形式に変換するファイル変換手段１６と、ファイル変換の際に参照する変換テーブルを記憶する変換テーブル記憶手段１９と、画像ファイルや注文情報ファイルなどを出力装置１０に送信する送信手段１８と、注文を受け付けるための画面や注文を処理するための画面を表示手段に表示させる表示制御手段１７と、ＬＣＤ、ＣＲＴ等の表示手段３と、ボタン、キーボード、マウス等の操作手段４などを備えている。
【００２３】
また、本実施例の出力装置１０は、受付端末２から画像ファイルや注文情報ファイルを受信し、該注文情報ファイルに基づいて、画像ファイルからプリント１２や記録媒体１３などの生産物を作成する機能を備えている。また、プリンタ１１ａは、銀塩プリンタや昇華プリンタ、インクジェットプリンタなどの任意の種類のプリンタを用いることができ、注文情報ファイルに基づいて所定のプリントサイズ（Ｅ、Ｌ、ＬＤ、２Ｌ、２ＬＤ、ＫＧ、８つ、６つ、４つ、６つＷ、４つＷ、Ａ４、Ａ３など）、所定の種別（銀塩プリント、昇華プリントなど）、所定の形態（個別のプリント、インデックスプリント、ジャケットプリントなど）のプリント１２の作成を行う機能を備え、記録媒体作成装置１１ｂには、少なくとも、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体１３を装填する記録媒体装填部７を備えている。
【００２４】
なお、図４に示す各手段は、受付端末２にハードウェアとして構成されていてもよいが、コンピュータを、ファイル変換手段１６として機能させるファイル変換プログラムとして構成し、該ファイル変換プログラムを受付端末２で動作させる構成としてもよい。また、図１では、受付端末２とプリンタ１１ａと記録媒体作成装置１１ｂとを別々の装置として記載しているが、例えば、図２に示すように、記録媒体作成装置１１ｂの機能を兼ね備えた受付端末２としてもよいし、図３に示すように、プリンタ１１ａと記録媒体作成装置１１ｂの機能を兼ね備えた受付端末２としてもよい。また、図１では、受付端末２で注文を処理して、プリンタ１１ａや記録媒体作成装置１１ｂなどの出力装置１０に作業を実行させる構成としているが、図４に示すように、受付端末２と出力装置１０との間に注文を管理する注文管理端末２ａを設け、受付端末２では注文の受付のみを行って注文情報を注文管理端末２ａに送信し、該注文管理端末２ａで画像ファイルの変換や注文票の出力などを行い出力装置１０に作業を実行させる構成としてもよい。
【００２５】
次に、上記構成の受付端末２を用いて注文を受け付ける手順について、図６のフローチャート図を参照して説明する。
【００２６】
まず、ステップＳ１０１で、表示制御手段１７は、表示手段３に作業選択画面を表示させ、ユーザはその中から所望の作業を選択する。次に、ステップＳ１０２で、メディア装填部５にメディア８を装填、又は機器接続部６にデジタルカメラ９を接続すると、ファイル読み取り手段１５は、メディア装填部５に装填されたメディア８や機器接続部６に接続されたデジタルカメラ９から画像ファイルと必要に応じてDPOF（Digital Print Order Format）ファイルなどの注文情報ファイルを読み取る。
【００２７】
ここで、従来の受付端末では、読み取った画像ファイルが出力装置１０で利用できるか否かに関わらず、その後の処理を行っていたが、本実施例の受付端末２では、出力装置１０で利用できない画像ファイルに対して注文処理が行われないようにするために、読み取った画像ファイルが出力装置１０で利用可能なファイル形式であるか、すなわち、画像ファイルが正常なファイルであるか、又は、画像ファイルが出力装置１０で対応しているファイルであるかを判定する。
【００２８】
前者の場合について具体的に説明すると、画像ファイルには、そのヘッダ領域に該画像ファイルに関連する情報（ヘッダ情報）が記述されており、また、画像ファイルは、そのファイル形式を判別できるように拡張子が付加されている。ここで、ヘッダ情報で特定されるファイル形式と拡張子で特定されるファイル形式とは通常一致しているが、ユーザが画像ファイルを編集する際に、間違って又は故意に拡張子を変更してしまうと両者が一致しなくなる。一方、プリンタ１１ａでは拡張子に基づいて画像ファイルのファイル形式を認識し、そのファイル形式に応じてプリント処理を行うため、ヘッダ情報で特定されるファイル形式と拡張子で特定されるファイル形式とが一致しないと正常なプリント１２を作成することができない。そこで、ファイル変換手段１６では、ステップＳ１０３で、画像ファイルのヘッダ情報及び拡張子を読み取り、ステップＳ１０４で、ヘッダ情報で特定されるファイル形式と拡張子で特定されるファイル形式とが一致するか否かを判定する。
【００２９】
また、後者の場合について具体的に説明すると、画像ファイルには、BMP（Bit MaP）やJPEG（Joint Photographic Experts Group）、GIF（Graphic Interchange Format）、TIFF（Tagged Image File Format）などの様々なファイル形式があり、また、特定の種類の画像ファイルには、更に拡張子が異なる複数のファイル形式（例えば、JPEGの場合は、jpgやjpeg、jpeなど）が存在する。ここで、プリンタ１１ａは汎用的なファイル形式の画像ファイルを処理できるように製作されているが、特殊なファイル形式の画像ファイルに対応していない場合もある。そこで、ファイル変換手段１６では、ステップＳ１０３で、画像ファイルの拡張子を読み取り、ステップＳ１０４で、該拡張子がプリンタ１１ａで対応可能な拡張子であるかを判定する。
【００３０】
そして、読み取った画像ファイルが出力装置１０で利用できない場合は、ステップＳ１０５で、ファイル変換手段１６は、該画像ファイルを出力装置１０で利用可能なファイル形式の画像ファイルに変換する。
【００３１】
具体的に説明すると、ヘッダ情報で特定されるファイル形式と拡張子で特定されるファイル形式とが一致しない場合は、ヘッダ情報で特定されるファイル形式に合わせて拡張子を変換する。例えば、ヘッダ情報で特定されるファイル形式がbmpであり拡張子がjpgの場合には拡張子をbmpに変換する。
【００３２】
また、読み取った画像ファイルの拡張子が出力装置１０で対応していない拡張子の場合は、予め記憶された変換テーブルを参照して、出力装置１０で対応可能な拡張子に変換する。この変換テーブルは、例えば、図８に示すように構成され、入力された画像ファイルの拡張子（図の左側）と出力装置１０（ここではプリンタ１１ａ）で対応可能な拡張子（図の右側）との対応関係が記述されており、例えば、拡張子がjpeg又はjpeの画像ファイルが入力された場合、上記変換テーブルを参照して拡張子をjpgに変換する。
【００３３】
また、上記説明では、ヘッダ情報で特定されるファイル形式と拡張子で特定されるファイル形式とが一致しない場合と、読み取った画像ファイルの拡張子がプリンタで対応できない拡張子である場合とを別々に示したが、これらの処理を組み合わせてもよい。例えば、ヘッダ情報で特定されるファイル形式がjpegで、拡張子がbmpなどの場合は、ヘッダ情報で特定される形式に合わせて拡張子をjpegに変換し、変換後の拡張子がプリンタ１１ａで対応できない拡張子の場合は、上記変換テーブルを参照して拡張子を更にjpgに変換する構成としてもよい。
【００３４】
なお、上記記載は例示であり、読み取った画像ファイルが出力装置１０で利用できないファイル形式の画像ファイルであり、変換後の画像ファイルが出力装置１０で使用可能なファイル形式の画像ファイルであればよく、具体的なファイル形式は限定されない。また、上記説明では拡張子のみを変換したが、拡張子に合わせてヘッダ情報の記述を修正（例えば、jpegをjpgに変換した場合に、ファイル形式に関する部分の記載をjpgに修正）したり、データ本体の圧縮度などを変換（例えば、ファイル形式で圧縮度が異なる場合に、元の画像ファイルを一旦展開して新たな圧縮度で再度圧縮）してもよい。
【００３５】
次に、ステップＳ１０６で、表示制御手段１７は、表示手段３にプリント１２のプリントサイズをユーザに選択させるためのプリントサイズ選択画面を表示させ、ユーザは操作手段４を操作して所望のプリントサイズを選択する。
【００３６】
次に、ステップＳ１０７で、表示制御手段１７は、表示手段３に納期をユーザに選択させるための納期選択画面を表示させ、ユーザは操作手段４を操作して所望の納期を選択する。
【００３７】
次に、ステップＳ１０８で、表示制御手段１７は、表示手段３に読み取った画像ファイルの画像が選択可能に配列された画像選択画面を表示させ、ユーザはその中から処理の対象となる画像ファイルを選択する。
【００３８】
次に、ステップＳ１０９で、プリント対象となる画像ファイルのヘッダ情報（例えば、EXIF：Exchangeable Image File Format情報）や注文情報ファイルに日付情報が記録されているかを判断し、プリント対象となる少なくとも１つの画像ファイルに日付情報が記録されている場合又は注文情報ファイルに日付情報が記録されている場合は、表示制御手段１７は、表示手段３に日付有り／無し選択画面を表示させる。
【００３９】
そして、ユーザが日付無しを選択した場合は、画像ファイル又は注文情報ファイルの少なくとも一方の所定の記述場所にその画像ファイルに基づく画像に日付が書き込まれないようにする処理を行うなどして、日付無しに設定する。また、ユーザが日付有りを選択した場合は、注文情報ファイルの日付指定に関する記述場所にヘッダ情報に記述された日付情報を書き込むなどして、日付有りに設定する。
【００４０】
次に、ステップＳ１１１で、受付端末２では、上記手順で設定された注文に対して注文番号や受付番号を設定し、レシートプリンタを用いて注文番号や受付番号、注文内容が記録された注文票を出力し、注文番号や受付番号、注文内容を注文情報ファイルに記録する。そして、注文票の一部（お客様控え）をユーザに、他の一部（店頭控え）をオペレータに提供して一連の注文受付処理を終了する。
【００４１】
その後、写真店や注文店のオペレータは受付端末２を操作し、プリンタ１１ａや記録媒体作成装置１１ｂなどの出力装置１０を制御してプリント１２の作成や記録媒体１３の作成などの各種作業を開始する。以下、受付端末２（又は、注文管理端末２ａを備える構成では該注文管理端末２ａ）を用いてオペレータが注文を処理する手順について、図７のフローチャート図を参照して説明する。
【００４２】
まず、ステップＳ２０１で、表示制御手段１７は、表示手段３に注文管理画面を表示させ、オペレータは未処理の注文の中から処理しようとする注文を選択する。
【００４３】
次に、ステップＳ２０２で、表示制御手段１７は、表示手段３に作業内容選択画面を表示させ、オペレータは該ボタンの中から実行する作業に対応するボタンを選択する。
【００４４】
次に、ステップＳ２０３で、送信手段１８は各々の作業を処理する出力装置１０に、注文番号や受付番号、注文内容が記録された注文情報ファイルと、各々の作業に必要な画像ファイルとを送信し、ステップＳ２０４で、各々の出力装置１０は、注文情報ファイルの指示に従って各々の作業を実行する。
【００４５】
ここで、従来の受付端末では、出力装置１０で利用できないファイル形式の画像ファイルが入力された場合でも該画像ファイルが出力装置１０に送信され、その結果、プリント１２が作成できないなどの問題が生じる場合があったが、本実施例の受付端末２では、出力装置１０で利用できないファイル形式の画像ファイルが入力された場合には出力装置１０で利用可能なファイル形式の画像ファイルに変換されて出力装置１０に送信されるため、上記問題が生じることはない。
【００４６】
そして、ステップＳ２０５で、全ての作業の処理が終了したかを判断し、作業が終了していない場合は、ステップＳ２０３に戻って次の作業に対して同様の処理を行い、作業が終了している場合は、ステップＳ２０６で、注文票２０と引き替えに生産物（例えば、プリント１２や記録媒体１３など）をユーザに提供して一連の注文処理を終了する。
【００４７】
このように、本実施例の受付端末２では、ファイル変換手段１６で、読み取った画像ファイルが出力装置１０で利用できないファイル形式の場合に、該画像ファイルの拡張子をヘッダ情報に合わせて変換したり、変換テーブルを参照して出力装置１０で対応可能な拡張子に変換するなどの制御を行うため、読み取った画像ファイルを用いて確実にプリント１２などの生産物を作成することができる。
【００４８】
なお、上記実施例では、画像ファイルをプリンタ１１ａで利用できるように変換する場合を例にして説明したが、本発明は上記実施例に限定されるものではなく、画像ファイルを用いて処理を行う任意の装置に対して同様に適用することができる。また、上記実施例では、デジタルカメラ９やメディア８に記録された画像ファイルを用いた処理について説明したが、ネガフィルムから読み取った画像ファイル、通信ネットワークを介して取得した画像ファイルに対しても同様に適用することができる。
【００４９】
更に、例えば音楽ファイルを特定の機器で再生できるようにファイル変換して記録媒体に記録する場合などに対しても同様に適用することができる。
【図面の簡単な説明】
【００５０】
【図１】本発明の一実施例に係る注文処理システムの構成を模式的に示す図である。
【図２】本発明の一実施例に係る受付端末のバリエーションを示す図である。
【図３】本発明の一実施例に係る受付端末のバリエーションを示す図である。
【図４】本発明の一実施例に係る受付端末のバリエーションを示す図である。
【図５】本発明の一実施例に係る受付端末の機能を示すブロック図である。
【図６】本発明の一実施例に係る受付端末を用いた注文受付の手順を示すフローチャート図である。
【図７】本発明の一実施例に係る受付端末を用いた注文処理の手順を示すフローチャート図である。
【図８】本発明の一実施例に係る変換テーブルの構成例を示す図である。
【符号の説明】
【００５１】
１  注文処理システム
２  受付端末
２ａ  注文管理端末
３  表示手段
４  操作手段
５  メディア装填部
６  機器接続部
７  記録媒体装填部
８  メディア
９  デジタルカメラ
９ａ  カメラ付き携帯電話機
１０  出力装置
１１ａ  記録媒体作成装置
１１ｂ  プリンタ
１２  プリント
１３  記録媒体
１５  ファイル読み取り手段
１６  ファイル変換手段
１７  表示制御手段
１８  ファイル送信手段
１９  変換テーブル記憶手段
【図１】
2006338442.tif 000003
【図２】
2006338442.tif 000004
【図３】
2006338442.tif 000005
【図４】
2006338442.tif 000006
【図５】
2006338442.tif 000007
【図６】
2006338442.tif 000008
【図７】
2006338442.tif 000009
【図８】
2006338442.tif 000010